(57)【要約】  【課題】タッチパネルが破損した場合であっても、電話機能を使用することができる携帯電話機を提供する。  【解決手段】携帯電話機１は、上部筐体及び下部筐体がスライド自在に連結され、ユーザのスライド操作により開形態及び閉形態の２つの形態を取り得る携帯電話機であって、電源ボタン１１３が押下されたときの形態が開形態である場合に、電話プログラム実行部１８５は、電話プログラム１７２を実行し、キーボード１０３を介して電話番号の入力を受け付けると、受け付けた電話番号へ発呼する。【選択図】図３
2013247630.tif 000002
【特許請求の範囲】
【請求項１】
上部筐体及び下部筐体がスライド自在に連結され、ユーザのスライド操作により開形態及び閉形態の２つの形態を取り得る携帯電話機であって、
電源オン操作を受け付ける受付部と、
上部筐体の閉形態で露出する面に備えられた、タッチパネルである第１入力部と、
下部筐体の開形態では露出するが閉形態では露出しない面に備えられた第２入力部と、
電源オン操作を受け付けたときに形態を検出する検出部と、
検出された形態が開形態である場合に、前記第２入力部が電話番号を受け付けると、前記電話番号に発呼する制御部と
を備えることを特徴とする携帯電話機。
【請求項２】
前記第２入力部は、複数のキーを含むハードウェアキーボードである
ことを特徴とする請求項１に記載の携帯電話機。
【請求項３】
前記ハードウェアキーボードは、数字及び文字の両方が割り当てられたキーを含み、前記数字の入力を受け付けるモードと前記文字の入力を受け付けるモードとを切り替えることにより、前記数字及び前記文字の入力を受け付け、
前記携帯電話機は、
前記検出部により検出された形態が開形態である場合に、前記ハードウェアキーボードのモードを前記数字の入力を受け付けるモードに切り替える入力切替部を備える
ことを特徴とする請求項２に記載の携帯電話機。
【請求項４】
前記携帯電話機は、
前記ハードウェアキーボートのキーロック及びキーロックの解除を行うロック部を備え、
前記ロック部は、前記検出部により検出された形態が開形態である場合、キーロックを解除する
ことを特徴とする請求項２に記載の携帯電話機。
【請求項５】
電源オン操作を受け付けたときの形態が開形態であった場合において、その後所定の操作が検出されると、
前記制御部は、前記第２入力部が受け付けた電話番号へ発呼する処理を停止する
ことを特徴とする請求項１に記載の携帯電話機。
【請求項６】
前記第２入力部は、タッチパネルである
ことを特徴とする請求項１に記載の携帯電話機。
【請求項７】
上部筐体及び下部筐体がスライド自在に連結され、ユーザのスライド操作により開形態及び閉形態の２つの形態を取り得る携帯電話機であって、
電源オン操作を受け付ける受付部と、
上部筐体の閉形態で露出する面に備えられた、タッチパネルである第１入力部と、
下部筐体の開形態では露出するが閉形態では露出しない面に備えられた第２入力部と、
音声入力部と、
電源オン操作を受け付けたときに形態を検出する検出部と、
検出された形態が開形態である場合に、前記音声入力部が受け付けた電話番号に発呼する制御部と
を備えることを特徴とする携帯電話機。
【請求項８】
上部筐体及び下部筐体がスライド自在に連結され、ユーザのスライド操作により開形態及び閉形態の２つの形態を取り得る携帯電話機で用いられる制御方法であって、
前記携帯電話機は、
上部筐体の閉形態で露出する面に備えられた、タッチパネルである第１入力部と、
下部筐体の開形態では露出するが閉形態では露出しない面に備えられた第２入力部とを備え、
前記制御方法は、
前記携帯電話機の受付部が、電源オン操作を受け付けるステップと、
電源オン操作を受け付けたときに、前記携帯電話機の検出部が、形態を検出するステップと、
検出された形態が開形態である場合に、前記携帯電話機の前記第２入力部が電話番号を受け付けると、前記携帯電話機の制御部が、前記電話番号に発呼するステップと
を含むことを特徴とする制御方法。
【請求項９】
上部筐体及び下部筐体がスライド自在に連結され、ユーザのスライド操作により開形態及び閉形態の２つの形態を取り得る携帯電話機で用いられるコンピュータプログラムであって、
前記携帯電話機は、
上部筐体の閉形態で露出する面に備えられた、タッチパネルである第１入力部と、
下部筐体の開形態では露出するが閉形態では露出しない面に備えられた第２入力部とを備え、
前記コンピュータプログラムは、前記携帯電話機に、
電源オン操作を受け付けるステップと、
電源オン操作を受け付けたときに形態を検出するステップと、
検出された形態が開形態である場合に、前記第２入力部が電話番号を受け付けると、前記電話番号に発呼するステップと
を実行させることを特徴とするコンピュータプログラム。
【発明の詳細な説明】
【技術分野】
【０００１】
本発明は、携帯電話機に関し、特に、緊急時の発呼制御に関する。
【背景技術】
【０００２】
近年、タッチパネルを備える携帯電話機が普及してきた。
例えば、特許文献１に記載の携帯電話機は、タッチパネルである操作部と表示部とを備え、表示部には複数のアイコンが表示される。各アイコンは、それぞれアプリケーションに対応しており、例えば、対応するアプリケーションの種類や機能に応じた図柄を有している。ユーザが、利用したいアプリケーションに対応するアイコンを操作すると、操作されたアイコンに対応するアプリケーションが起動する。
【先行技術文献】
【特許文献】
【０００３】
【特許文献１】特開２００７−１４１０６４号公報
【発明の概要】
【発明が解決しようとする課題】
【０００４】
このように、タッチパネルを介して入力操作を行う携帯電話機の場合、仮に、タッチパネルの表示装置が破損して、アイコンを表示できない等の不具合が生じると、あらゆる機能を使用できなくなるという問題がある。特に、事故や災害などの緊急時において、このような事態が起こると、電話機能すら使用できなくなり、非常に不便である。
そこで、本発明は、上記の問題点に鑑み、タッチパネルが破損した場合であっても、電話機能を使用することができる携帯電話機、制御方法及びコンピュータプログラムを提供することを目的とする。
【課題を解決するための手段】
【０００５】
上記の目的を達成するために、本発明の携帯電話機の一態様は、上部筐体及び下部筐体がスライド自在に連結され、ユーザのスライド操作により開形態及び閉形態の２つの形態を取り得る携帯電話機であって、電源オン操作を受け付ける受付部と、上部筐体の閉形態で露出する面に備えられた、タッチパネルである第１入力部と、下部筐体の開形態では露出するが閉形態では露出しない面に備えられた第２入力部と、電源オン操作を受け付けたときに形態を検出する検出部と、検出された形態が開形態である場合に、前記第２入力部が電話番号を受け付けると、前記電話番号に発呼する制御部とを備えることを特徴とする。
【発明の効果】
【０００６】
上記の構成を備えることにより、タッチパネルが破損した場合であっても、電話機能を使用することが可能となる。
【図面の簡単な説明】
【０００７】
【図１】携帯電話機１の外観図
【図２】携帯電話機１の使用例
【図３】携帯電話機１のブロック図
【図４】携帯電話機１の動作を示すフローチャート
【図５】通常モードについて説明するための図
【図６】緊急モードについて説明するための図
【図７】緊急モードについて説明するための図
【図８】変形例である携帯電話機２について説明するための図
【図９】音声入力を用いた変形例について説明するための図
【発明を実施するための形態】
【０００８】
以下では、本発明に係る携帯電話機の一態様である携帯電話機１について、図面を参照しながら説明する。
＜１．概要＞
図１は、携帯電話機１の外観を示す図である。携帯電話機１は、上部筐体１１及び下部筐体１２から構成される。上部筐体１１にはタッチパネル１０１が配され、下部筐体１２には、キーボード１０３及び電源ボタン１１３が配されている。
【０００９】
上部筐体１１及び下部筐体１２は、結合部によりスライド自在に連結されている。  図１（ａ）に示す閉状態（閉形態）では、下部筐体１２の上に、上部筐体１１が重なるように位置する。閉状態のとき、ユーザは、タッチパネル１０１を用いて各種の指示を入力する。携帯電話機１は、このような閉状態から、上部筐体１１をスライドさせると、図１（ｂ）に示す開状態（開形態）に変形させることができる。開状態のとき、ユーザは、タッチパネル１０１及びキーボード１０３の両方を用いて各種の指示を入力することができる。
【００１０】
図２を用いて、携帯電話機１の操作方法について簡単に説明する。
図２（ａ）に示すように、携帯電話機１の待ち受け時において、タッチパネル１０１には、ＨＯＭＥ画面が表示されている。ＨＯＭＥ画面は、電話機能を示すアイコン２０１、電子メール機能を示すアイコン、音楽再生機能を示すアイコン、カメラ機能を示すアイコン、メモ帳機能を示すアイコン、インターネット接続機能を示すアイコン等、各種機能に対応付けられたアイコンを含む。
【００１１】
例えば、電話を掛けたいとき、ユーザは、図２（ｂ）に示すように、電話機能を示すアイコン２０１をタップすると、電話プログラムを起動させることができる。
図２（ｃ）に示すように、携帯電話機１が閉状態のとき、ユーザは、タッチパネル１０１を用いて電話番号を入力する。一方、図２（ｄ）に示すように、携帯電話機１が開状態のとき、ユーザは、キーボード１０３を用いて電話番号を入力する。
【００１２】
このように、携帯電話機１において、ユーザが利用したいプログラムを起動させるためには、通常、先ず始めにＨＯＭＥ画面上でアイコンをタップする必要がある。そのため、液晶ディスプレイが破損し、タッチパネル１０１にＨＯＭＥ画面が表示できない状況が生じれば、携帯電話機１のあらゆる機能を利用することができなくなる。特に、事故や災害等で液晶ディスプレイが破損したような緊急時には、電話機能を利用する必要性が高まることが予想される。そこで、携帯電話機１は、緊急時にはＨＯＭＥ画面上で電話プログラムを選択しなくとも電話を掛けることが可能な緊急モードを備えている。
【００１３】
＜２．携帯電話機１の構成＞
図３は、携帯電話機１の内部構成を機能的に示すブロック図である。
同図に示すように、携帯電話機１は、タッチパネル１０１、第１コントローラ１０２、キーボード１０３、第２コントローラ１０４、磁石１０５、磁気センサ１０６、記憶部１０７、制御部１０８、通信制御部１０９、アンテナ１１０、レシーバ１１１、マイク１１２、及び電源ボタン１１３から構成される。
【００１４】
携帯電話機１は、図示されていないプロセッサ、半導体メモリを含む。また、携帯電話機１の各機能ブロックは、ハードウェアとして構成されているか、もしくはプロセッサが半導体メモリに記憶されているコンピュータプログラムを実行することで実現される。
タッチパネル１０１は、入力デバイスであるタッチバッド１２１と、表示デバイスである表示装置１２２と、光源であるバックライト１２３とを含む。
【００１５】
タッチパッド１２１は、静電容量方式や圧電方式等のタッチセンサを含み、表示装置１２２に重畳して設けられている。タッチパッド１２１は、透明部材で構成され、表示装置１２２に表示された画像が見えるように構成されている。
表示装置１２２の例としては、ＬＣＤ（Ｌｉｑｕｉｄ  Ｃｒｙｓｔａｌ  Ｄｉｓｐｌａｙ）や有機ＥＬ（Ｏｒｇａｎｉｃ Ｅｌｅｃｔｒｏ Ｌｕｍｉｎｅｓｃｅｎｃｅ）等である。また、バックライト１２３の例としては、ＬＥＤ（Ｌｉｇｈｔ  Ｅｍｉｔｔｉｎｇ  Ｄｉｏｄｅ）等である。バックライト１２３は、表示装置１２２の背後に位置し，表示装置１２２の照明として機能する。
【００１６】
第１コントローラ１０２は、タッチパッド１２１に対するユーザの指等の接触を検出し、検出している間、単位時間（例えば、２５ミリ秒）毎に、その接触位置の座標値（ｘ，ｙ）を制御部１０８に出力する。なお、タッチパネル１０１が破損する場合とは、例えば、タッチパッド１２１が破損する場合や、表示装置１２２が破損する場合や、バックライト１２３が破損する場合、若しくはこれらのいずれかが重複して破損する場合などがある。
【００１７】
キーボード１０３は、図２（ｄ）に示したように、複数のキーを含むフルキーボードであり、最上位の行に含まれるキーにはアルファベットを示すコード及び数字を示すコードの二つのコードが割り当てられている。ファンクションキー２１０により、アルファベットを示すコードを選択する文字入力モードと数字を示すコードを選択する数字入力モードとを切り替えることができる。
【００１８】
第２コントローラ１０４は、キーボード１０３から押下された位置を示す情報を受け取り、押下された位置に対応するコードを制御部１０８へ出力する。また、第２コントローラ１０４は、数字入力コード及び文字入力コードの何れかの設定を記憶している。キーボード１０３の最上位の行に含まれるキーが押下された場合には、第２コントローラ１０４は、押下された位置と設定されている入力モードとに応じた一つのコードを制御部１０８へ出力する。
【００１９】
磁石１０５及び磁気センサ１０６は、携帯電話機１か開状態であるか閉状態であるかを検出する開閉センサである。一例として、磁石１０５は下部筐体１２に備えられ、磁気センサ１０６は上部筐体１１に備えられている。携帯電話機１が閉状態のとき、磁気センサ１０６は、磁石１０５に近接し、磁石１０５により生じる磁界を検出する。携帯電話機１が開状態のとき、磁気センサ１０６は、磁石１０５から離れており、磁石１０５により生じる磁界を検出しない。磁気センサ１０６は、磁界を検出している間、すなわち携帯電話機１が閉状態であるとき、制御部１０８へ検出信号を出力する。
【００２０】
記憶部１０７は、半導体メモリであり、設定値保存用メモリ、作業用メモリ及び実行プログラム保存用メモリ等を含む。
設定値保存用メモリには、モード設定値１７１や、各種設定値、アドレス帳、ブックマーク等が記憶されている。モード設定値１７１は、携帯電話機１のモードを示す値である。一例として、モード設定値１７１が「０」のとき、携帯電話機１は「通常モード」であり、モード設定値１７１が「１」のとき、携帯電話機１は「緊急モード」である。
【００２１】
実行プログラム保存用メモリには、制御部１０８が実行する電話プログラム１７２や、電子メールプログラム、音楽再生プログラム、Ｗｅｂブラウザ、システム制御プログラム、通信制御プログラム、ＯＳ等を含む複数のコンピュータプログラムが記憶されている。電話プログラム１７２は、図２に示したように、ユーザから電話番号の入力を受け付け、受け付けた電話番号に発呼する機能を実現するためのプログラムである。
【００２２】
制御部１０８は、携帯電話機１の各ブロックと接続されている。制御部１０８は、プロセッサが記憶部１０７に記憶されているコンピュータプログラムを実行することにより、各種の機能を実現する。
制御部１０８は、形状検出部１８１、モード切替部１８２、ロック部１８３、入力切替部１８４及び電話プログラム実行部１８５を含む。
【００２３】
形状検出部１８１は、電源ボタン１１３が押下されると、磁気センサ１０６から検出信号を受けているか否か判断する機能を有する。検出信号を受けている場合、携帯電話機１の形状を「閉状態」であると判断し、検出信号を受けていない場合、携帯電話機１の形状を「開状態」であると判断する。形状検出部１８１は、判断結果をモード切替部１８２へ通知する。
【００２４】
また、形状検出部１８１は、記憶部１０７に記憶されているモード設定値１７１が「緊急モード」を示す値「１」に設定されている間、磁気センサ１０６から検出信号を受けているか否か継続的に判断する。その結果、緊急モード解除操作を受けたと判断した場合には、その旨をモード切替部１８２及び電話プログラム実行部１８５へ通知する。緊急モード解除操作については後述する。
【００２５】
モード切替部１８２は、形状検出部１８１から受け取る通知に基づいて、記憶部１０７のモード設定値１７１を切り替える機能を有する。
ロック部１８３は、携帯電話機１のモードに応じてスクリーンロック、スクリーンロックの解除、キーロック及びキーロックの解除を行う機能を有する。
スクリーンロックとは、タッチパッド１２１を介した入力操作を無効にすることである。ロック部１８３は、第１コントローラ１０２から受け取る情報を無効にすることによりスクリーンロックを行う。キーロックとは、キーボード１０３を介した入力操作を無効にすることである。ロック部１８３は、第２コントローラ１０４から受け取る情報を無効にすることによりキーロックを行う。
【００２６】
なお、スクリーンロック及びキーロックがなされている場合であっても、ロック部１８３は、ユーザによる所定のロック解除操作を受け付けることができる。
入力切替部１８４は、第２コントローラ１０４が記憶している数字入力コード及び文字入力コードの何れかである入力コードの設定を切り替える機能を有する。携帯電話機１が通常モードのとき、入力切替部１８４は、キーボード１０３に含まれるファンクションキー２１１が押下される毎に、数字入力コードと文字入力コードとを切り替える。携帯電話機１が緊急モードのとき、入力切替部１８４は、第２コントローラ１０４が記憶している入力コードを数字入力コードに切り替える。
【００２７】
電話プログラム実行部１８５は、記憶部１０７から電話プログラム１７２を読み出して、電話プログラム１７２を実行する。携帯電話機１が通常モードのとき、電話プログラム実行部１８５は、タッチパネル１０１にＨＯＭＥ画面が表示されている状態において、電話機能を示すアイコンがタップされたことを検知すると、記憶部１０７から電話プログラム１７２を読み出す。携帯電話機１が緊急モードのとき、電話プログラム実行部１８５は、ユーザ操作に関わらず、記憶部１０７から電話プログラム１７２を読み出す。
【００２８】
なお、制御部１０８は、上記の機能以外にも様々な機能を有しており、携帯電話機１の全体を制御する。
通信制御部１０９は、プロセッサが記憶部１０７に記憶されているコンピュータプログラムを実行することにより、以下の機能を実現する。通信制御部１０９は、アンテナ１１０を介して、電話回線やインターネット等の通信網に接続する。そして、通信制御部１０９は、基地局を介して、他の電話機、パーソナルコンピュータ、ウェブサーバ等との間で、音声データ、文字データ、画像データ、位置データ等を送受信する。
【００２９】
レシーバ１１１は、受話音を出力する機能を有する。マイク１１２は、音を集音する機能を有する。
電源ボタン１１３は、携帯電話機１の電源オフ及び電源オンを切り替えるための操作ボタンである。ここでは一例として、電源ボタン１１３は、下部筐体１２に備えられている。携帯電話機１が電源オフのとき、各機能部への電力の供給が停止している。電源オフの状態から、ユーザにより電源ボタン１１３が押下されると、携帯電話機１の各部への電力の供給が開始されて、各部はそれぞれの機能を実行する。
【００３０】
＜３．携帯電話機１の動作＞
図４は、携帯電話機１の動作を示すフローチャートである。ここに示す動作は、携帯電話機１の電源ボタン１１３が押下されることにより開始する。
形状検出部１８１は、電源ボタン１１３が押下されたときの携帯電話機１の形状が、開状態であるのか、閉状態であるのかを検出する（ステップＳ１）。形状検出部１８１が磁気センサ１０６から検出信号を受けている場合、携帯電話機１は閉状態であり、形状検出部１８１が磁気センサ１０６から検出信号を受けていない場合、携帯電話機１は開状態である。
【００３１】
電源ボタン１１３が押下されたときの形状が、図５（ａ）に示すように閉状態の場合（ステップＳ２で閉状態）、モード切替部１８２は、記憶部１０７のモード設定値１７１を「０」に設定することにより、携帯電話機１のモードを「通常モード」に切り替える（ステップＳ３）。
電源オフから電源オンに切り替わったとき、タッチパネル１０１及びキーボード１０３は、ロック部１８３によりスクリーンロック及びキーロックがなされている。
【００３２】
このときタッチパネル１０１には、一例として、図５（ｂ）に示すようなロック解除画面３０１が表示されている。ロック解除画面３０１は、ロックされていることを報知するめの画像３０２とロック解除バー３０３とを含む。ユーザは、ロック解除バー３０３の上を左から右へ指をスライドさせるロック解除操作により、スクリーンロック及びキーロックを解除することができる。
【００３３】
携帯電話機１は、ユーザによるロック解除操作を待つ（ステップＳ４でＮＯ）。ユーザによるロック解除操作を受け付けると（ステップＳ４でＹＥＳ）、ロック部１８３は、スクリーンロック及びキーロックを解除する（ステップＳ５）。
制御部１０８は、ＨＯＭＥ画面の表示や制御を行うための待ち受けプログラムを実行し、図５（ｃ）に示すように、タッチパネル１０１にＨＯＭＥ画面３０４を表示する（ステップＳ６）。その後、携帯電話機１は、ユーザ操作に応じた処理を行う（ステップＳ７）。
【００３４】
ここで、通常モードにおける処理の一例として発呼処理について、図２を用いて説明する。
図２（ｂ）に示すように、ユーザが電話機能を示すアイコン２０１をタップすると、電話プログラム実行部１８５は、記憶部１０７から電話プログラム１７２を読み出して、実行する。電話プログラム１７２が起動すると、図２（ｃ）に示すように、タッチパネル１０１に電話番号入力画面２０２が表示される。
【００３５】
電話番号入力画面２０２は、０から９までの数字が記載されたソフトウェアキー２０３、番号表示欄２０４、ＣＡＬＬキー２０５、Ｂａｃｋｓｐａｃｅキー２０６、及びＨＯＭＥキー２０７を含む。ユーザは、ソフトウェアキー２０３を用いて電話番号を入力する。その後、ユーザがＣＡＬＬキー２０５をタップすると、電話プログラム実行部１８５は、通信制御部１０９に対し、入力された電話番号への発呼を指示する。通信制御部１０９は、電話プログラム実行部１８５から指示された電話番号へ発呼する。
【００３６】
ここで、ソフトウェアキー２０３ではなく、キーボード１０３を用いて電話番号を入力したい場合、ユーザは、図２（ｄ）に示すように、携帯電話機１を開状態にする。すると、タッチパネル１０１に表示される画面は、電話番号入力画面２０２から電話番号表示画面２０８へ遷移し、携帯電話機１は、キーボード１０３による入力を受け付ける状態になる。
【００３７】
キーボード１０３は、０から９までの数字が記載されたキー群２０９、ファンクションキー２１０及びＥｎｔｅｒキー２１１を含む。ファンクションキー２１０は、入力モードの切り替えに用いられるキーである。ユーザは、ファンクションキー２１０を押下することにより、キーボード１０３の入力モードを文字入力モードから数字入力モードへ変更することができる。その後、ユーザは、キー群２０９を用いて電話番号を入力する。その後、ユーザがＥｎｔｅｒキー２１１を押下するか、又は、ＣＡＬＬキー２０５をタップすると、電話プログラム実行部１８５は、通信制御部１０９に対し、入力された電話番号への発呼を指示する。通信制御部１０９は、電話プログラム実行部１８５から指示された電話番号へ発呼する。
【００３８】
このように、通常モードにおける発呼処理では、ユーザは、ＨＯＭＥ画面上で電話機能を示すアイコン２０１をタップして、電話プログラム１７２を起動する必要がある。
最後のユーザ操作がなされてから一定期間（例えば、３０秒）を経過する前に次のユーザ操作を受け付ける場合（ステップＳ８でＮＯ），携帯電話機１は、ユーザ操作に応じた処理を行う。最後のユーザ操作がなされてから一定期間ユーザ操作を受け付けない場合（ステップＳ８でＹＥＳ）、ロック部１８３は、スクリーンロック及びキーロックを行う（ステップＳ９）。
【００３９】
電源ボタン１１３が押下された場合（ステップＳ１０でＹＥＳ），携帯電話機１は処理を終了し、電源ボタン１１３が押下されない場合（ステップＳ１０でＮＯ）、携帯電話機１は、ステップＳ４に戻り処理を継続する。
ステップＳ１において形状検出部１８１が検出した携帯電話機１の形状が、図６（ａ）に示すように開状態の場合（ステップＳ２で開状態）、モード切替部１８２は、記憶部１０７のモード設定値１７１を「１」に設定することにより、携帯電話機１のモードを「緊急モード」に切り替える（ステップＳ１１）。
【００４０】
電源オフから電源オンに切り替わったとき、タッチパネル１０１及びキーボード１０３は、ロック部１８３によりスクリーンロック及びキーロックがなされているが、緊急モードの場合、ロック部１８３は、ユーザによるロック解除操作を受け付けることなく、スクリーンロック及びキーロックを解除する（ステップＳ１２）。そのため、緊急モードの場合、図５（ｂ）に示したロック解除画面３０１は表示されない。
【００４１】
入力切替部１８４は、第２コントローラ１０４が記憶している入力コードを数字入力コードに切り替える（ステップＳ１３）。
続いて、電話プログラム実行部１８５は、記憶部１０７から電話プログラム１７２を読み出して、実行する（ステップＳ１４）。すると、タッチパネル１０１には、図６（ｂ）に示す電話番号表示画面２０８が表示される。ユーザは、電話番号表示画面２０８を見ながら、キーボード１０３のキー群２０９を用いて、電話番号を入力することができる。入力された電話番号は、電話番号表示画面２０８の番号表示欄２０４に表示される。
【００４２】
電話プログラム実行部１８５は、電話番号を受け付けると（ステップＳ１５）、通信制御部１０９に対し、受け付けた電話番号への発呼を指示する。通信制御部１０９は、電話プログラム実行部１８５から指示された電話番号へ発呼する（ステップＳ１６）。通話が終了し、オフフック操作を受け付けると、通信制御部１０９は呼接続を切断する（ステップＳ１７）。
【００４３】
その後、緊急モード解除操作を検出しなければ（ステップＳ１８でＮＯ）、電話プログラム実行部１８５は、ステップＳ１５に戻り、処理を継続する。緊急モード解除操作を検出すると（ステップＳ１８でＹＥＳ），電話プログラム実行部１８５は、電話プログラム１７２の実行を終了する（ステップＳ１９）。
ここで、緊急モード解除操作は、一例として、図６（ｃ）及び（ｄ）に示すように、電話プログラム１７２が起動している状態から、携帯電話機１を閉状態にした後、再度、開状態にする操作である。例えば、携帯電話機１を閉状態にしてから５秒以内に再度、携帯電話機１を開状態する操作を検出した場合、形状検出部１８１は、緊急モード解除操作を受けたと判断する。
【００４４】
次に、ロック部１８３は、スクリーンロック及びキーロックを行う（ステップＳ２０）。タッチパネル１０１には、図６（ｄ）に示すロック解除画面３０１が表示される。
続いて、入力切替部１８４は、記憶部１０７のモード設定値を「０」に設定することにより、携帯電話機１を「通常モード」に切り替える（ステップＳ２１）。その後、携帯電話機１は、ステップＳ１０へ進み、処理を継続する。
【００４５】
＜４．効果＞
スライド式である携帯電話機１は、待ち受け時には閉状態にしておくことが一般的と思われる。そのため、タッチパネル１０１は、キーボード１０３と比較し、外部に露出している時間が長い。更に、タッチパネル１０１はガラスを含むため、キーボード１０３に比べて破損しやすい。
【００４６】
タッチパネル１０１が破損すると、タッチパネル１０１にＨＯＭＥ画面の全体が表示されない、ＨＯＭＥ画面の一部しか表示されない、電話機能を示すアイコンが表示されない、タッチパッド１２１が入力操作を受け付けない等の不具合が生じ得る。
このような場合、ユーザは、電源オフ状態の携帯電話機１を、図７（ａ）に示すように開状態にし、その後電源ボタン１１３を押下することにより、電話プログラム１７２を起動させることができる。図７（ｂ）に示すように、タッチパネル１０１が破損していると、タッチパネル１０１には、図６（ｂ）に示した電話番号表示画面２０８は表示されない可能性がある。しかし、このような場合でも、ユーザは、キーボード１０３のキー群２０９を押下して電話番号を入力し、その後Ｅｎｔｅｒキー２１１を押下することにより電話を掛けることが可能となる。
【００４７】
＜５．その他の変形例＞
以上、本発明の一態様である携帯電話機の実施形態を説明したが、例示した携帯電話機１を以下のように変形することも可能であり、本発明が上述の実施形態で示したとおりの携帯電話機１に限られないことは勿論である。
（１）上記の実施形態では、携帯電話機１の下部筐体１２は、入力手段としてキーボード１０３を備える構成を有していた。しかし、本発明の携帯電話機はこの構成に限定されない。
【００４８】
例えば、図８（ａ）及び（ｂ）に示すように、本発明の一態様である携帯電話機２は、上部筐体１１及び下部筐体１２がスライド機構により連結されており、上部筐体１１は、タッチパネル１０１ａを備え、下部筐体１２は、タッチパネル１０１ｂを備える。このように、上部筐体１１及び下部筐体１２が共に、入力手段としてタッチパネルを備える携帯電話機も本発明に含まれる。
【００４９】
この場合、電源ボタン１１３が押下されたときの携帯電話機２の形状が、図８（ｂ）及び（ｃ）に示す開状態である場合、携帯電話機２は、上記の実施形態と同様に、緊急モードに移行し、スクリーンロックを自動で解除する。そして、タッチパネル１０１ｂに電話番号入力画面２０２を表示する。ユーザは、ソフトウェアキー２０３を用いて電話番号を入力した後、ＣＡＬＬキー２０５をタップすれば電話を掛けることができる。
【００５０】
この構成により、図８（ｃ）に示すように、上部筐体１１のタッチパネル１０１ａが破損している場合であっても、下部筐体１２のタッチパネル１０１ｂのみを用いた発呼処理が可能となる。
（２）上記の実施形態において、電話プログラム１７２が音声入力機能に対応している場合には、携帯電話機１が緊急モードのとき、キーボード１０３を介した入力操作に応じて発呼処理を行う替わりに、マイク１１２を介した音声入力に応じて発呼処理を行うように制御してもよい。
【００５１】
この場合の動作例を図９のフローチャートに示す。ここに示す動作は、携帯電話機１の電源ボタン１１３が押下されることにより開始する。
ステップＳ１０１からステップＳ１１０までの処理は、図４に示したフローチャートのステップＳ１からステップＳ１０までの処理と同様であるため、説明を省略する。ここでは、ステップＳ１１１以降の処理について説明する。
【００５２】
ステップＳ１０１において形状検出部１８１が検出した携帯電話機１の形状が、開状態の場合（ステップＳ１０２で開状態）、モード切替部１８２は、記憶部１０７のモード設定値１７１を「１」に設定することにより、携帯電話機１のモードを「緊急モード」に切り替える（ステップＳ１１１）。
制御部１０８は、マイク１１２を起動させ、マイクからの入力を受け付ける（ステップＳ１１２）。
【００５３】
続いて、電話プログラム実行部１８５は、記憶部１０７から電話プログラム１７２を読み出して、実行する（ステップＳ１１３）。ここで、電話プログラム１７２は、音声入力に対応したプログラムであり、電話プログラム実行部１８５は、マイク１１２を介して入力された音声を解析して、電話番号を特定する機能を有する。
マイク１１２は、ユーザの声による電話番号の入力を受け付ける（ステップＳ１１４）。電話プログラム実行部１８５は、マイク１１２を介して入力された音声を解析して、電話番号を特定する。電話プログラム実行部１８５は、通信制御部１０９に対し、特定した電話番号への発呼を指示する。通信制御部１０９は、電話プログラム実行部１８５から指示された電話番号へ発呼する（ステップＳ１１５）。通話が終了し、オフフック操作を受け付けると、通信制御部１０９は呼接続を切断する（ステップＳ１１６）。
【００５４】
その後、緊急モード解除操作を検出しなければ（ステップＳ１１７でＮＯ）、電話プログラム実行部１８５は、ステップＳ１１４に戻り、処理を継続する。緊急モード解除操作を検出すると（ステップＳ１１７でＹＥＳ），電話プログラム実行部１８５は、電話プログラム１７２の実行を終了する（ステップＳ１１８）
続いて、入力切替部１８４は、記憶部１０７のモード設定値を「０」に設定することにより、携帯電話機１を「通常モード」に切り替える（ステップＳ１１９）。その後、携帯電話機１は、ステップＳ１１０へ進み、処理を継続する。
【００５５】
（３）携帯電話機１が緊急モードのとき、タッチパネル１０１が破損しており、タッチパネル１０１上に電話番号表示画面２０８が表示されない可能性がある。電話番号表示画面２０８が表示されない場合、ユーザは、電話プログラム１７２が起動しているのか否か判断しにくい。そこで、緊急モードのとき、携帯電話機１は、「緊急モードです」、「数字キーを押して、電話番号を入力してください」、「電話番号に続いて、Ｅｎｔｅｒキーを押してください」等の音声ガイダンスを再生してもよい。
【００５６】
（４）上記の実施形態では、ユーザがキー群２０９を押下して電話番号を入力し、その後Ｅｎｔｅｒキー２１１を押下すると発呼処理が実行される構成を有していた。しかし、ユーザがＥｎｔｅｒキーを押下することは必須ではない。緊急モードのとき、携帯電話機１は、電話番号が入力されたら、直ちに発呼処理を実行してもよい。
（５）上記の実施形態では、携帯電話機１の電源オン操作とは、ユーザが電源ボタン１１３を押下することであった。しかし、携帯電話機１の電源オン操作は、これに限定されない。例えば、ユーザが携帯電話機１の形状を変化させたり、キーボード１０３を用いてパスワード等を入力したりすることにより、携帯電話機１が電源オンとなる構成でもよい。
【００５７】
（６）上記の実施形態では、携帯電話機１の形状（形態）が、開状態であるか閉状態であるか、磁石１０５及び磁気センサ１０６を用いて判断した。しかし、磁石１０５及び磁気センサ１０６は、開閉センサの一例である。携帯電話機１は、他の方法を用いて形状を判断する構成でもよい。例えば、携帯電話機１が閉状態のとき、上部筐体１１の一部と下部筐体１２の一部とが物理的に接触することにより検出信号（オン）を出力するセンサを用いてもよい。
【００５８】
（７）上記の実施形態及び変形例で示した携帯電話機１による処理（図４、図９参照）を、携帯電話機１のプロセッサ、及びそのプロセッサに接続された各種回路に実行させるための機械語或いは高級言語のプログラムコードからなる制御プログラムを、記録媒体に記録すること、又は各種通信路等を介して流通させ頒布することもできる。このような記録媒体には、ＩＣカード、ハードディスク、光ディスク、フレキシブルディスク、フラッシュメモリの様な不揮発性メモリ等がある。流通、頒布された制御プログラムはプロセッサに読み出され得るメモリ等に格納されることにより利用に供され、そのプロセッサがその制御プログラムを実行することにより実施形態で示したような機能が実現されるようになる。なお、プロセッサは、制御プログラムを直接実行する他、コンパイルして実行或いはインタプリタにより実行してもよい。
【００５９】
（８）上記の実施形態で示した各機能構成要素（タッチパネル１０１、第１コントローラ１０２、キーボード１０３、第２コントローラ１０４、磁石１０５、磁気センサ１０６、記憶部１０７、制御部１０８、通信制御部１０９、アンテナ１１０、レシーバ１１１、マイク１１２、及び電源ボタン１１３）は、その機能を実行する回路として実現されてもよいし、１又は複数のプロセッサによりプログラムを実行することで実現されてもよい。また、実施形態で示した携帯電話機１は、ＩＣ、ＬＳＩその他の集積回路のパッケージとして構成されるものとしてもよい。このパッケージは各種装置に組み込まれて利用に供され、これにより携帯電話機１は、実施形態で示したような各機能を実現するようになる。
【００６０】
（９）上記の実施形態と上記の変形例とを適宜組み合わせてもよい。
＜６．補足＞
以下、更に本発明の一態様としての構成およびその変形例と効果について説明する。
（ａ）本発明の一態様に係る携帯電話機は、上部筐体及び下部筐体がスライド自在に連結され、ユーザのスライド操作により開形態及び閉形態の２つの形態を取り得る携帯電話機であって、電源オン操作を受け付ける受付部と、上部筐体の閉形態で露出する面に備えられた、タッチパネルである第１入力部と、下部筐体の開形態では露出するが閉形態では露出しない面に備えられた第２入力部と、電源オン操作を受け付けたときに形態を検出する検出部と、検出された形態が開形態である場合に、前記第２入力部が電話番号を受け付けると、前記電話番号に発呼する制御部とを備えることを特徴とする。
【００６１】
この構成によると、タッチパネルが破損し、タッチパネルを介した入力操作が不可能な場合であっても、電話機能を使用することが可能となる。
（ｂ）前記第２入力部は、複数のキーを含むハードウェアキーボードであることを特徴とする。
スライド式である前記携帯電話機は、待ち受け時には閉形態にしておくことが一般的と思われる。そのため、上部筐体の配されたタッチパネルは、下部筐体に配されたハードウェアキーボードと比較し、外部に露出している時間が長い。更に、タッチパネルはガラスを含むため、ハードウェアキーボードと比較して破損しやすい。
【００６２】
一方で、ハードウェアキーボードは、上部筐体がカバーとなるため、携帯電話機を落としたり物にぶつけたりした場合であっても、タッチパネルと比較すると、破損する可能性は低いと思われる。そのため、タッチパネルを介した入力操作は不可能であるが、ハードウェアキーボードを介した入力操作は可能な場合が起こり得る。
そこで、前記携帯電話機は、上記の構成を備えることにより、ハードウェアキーボードが露出した形態である開形態で電源オン操作がなされると、ハードウェアキーボードのみを用いた発呼処理を行うことが可能となる。
【００６３】
（ｃ）前記ハードウェアキーボードは、数字及び文字の両方が割り当てられたキーを含み、前記数字の入力を受け付けるモードと前記文字の入力を受け付けるモードとを切り替えることにより、前記数字及び前記文字の入力を受け付け、前記携帯電話機は、前記検出部により検出された形態が開形態である場合に、前記ハードウェアキーボードのモードを前記数字の入力を受け付けるモードに切り替える入力切替部を備えることを特徴とする。
【００６４】
この構成によると、ハードウェアキーボードが露出した形態である開形態で電源オン操作がなされると、ハードウェアキーボードのモードが自動で数字入力モードに切り替わるので、ユーザは速やかに電話番号を入力し、発呼処理を指示することが可能となる。
（ｄ）前記携帯電話機は、前記ハードウェアキーボートのキーロック及びキーロックの解除を行うロック部を備え、前記ロック部は、前記検出部により検出された形態が開形態である場合、キーロックを解除することを特徴とする。
【００６５】
この構成によると、ハードウェアキーボードが露出した状態である開形態で電源オン操作がなされると、ハードウェアキーボードのキーロックが自動で解除されるので、ユーザは速やかに電話番号を入力し、発呼処理を指示することが可能となる。
（ｅ）電源オン操作を受け付けたときの形態が開形態であった場合において、その後所定の操作が検出されると、前記制御部は、前記第２入力部が受け付けた電話番号へ発呼する処理を停止することを特徴とする。
【００６６】
前記携帯電話機は、ハードウェアキーボードが露出した形態である開形態で電源オン操作がなされると、ハードウェアキーボードが受け付けた電話番号に発呼する特殊な状態（緊急モード）に移行する。ところが、必要に応じて、緊急モードを解除し通常の携帯電話機としての利用ができなければユーザにとって不便である。
そこで、上記の構成を備えることにより、前記携帯電話機を緊急モードから通常の状態（通常モード）に戻すことが可能となる。
【００６７】
（ｆ）前記第２入力部は、タッチパネルであることを特徴とする。
下部筐体に配された第２入力部がタッチパネルである場合にも、上部筐体がカバーとなるため、携帯電話機を落としたり物にぶつけたりした場合に、第１入力部と比較すると、第２入力部の方が破損する可能性は低いと思われる。そのため、第１入力部を介した入力操作が不可能であるが、第２入力部を介した入力操作が可能な場合が起こり得る。
【００６８】
そこで、上記の構成を備えることにより、タッチパネルである第２入力部が露出した形態である開形態で電源オン操作がなされると、第２入力部のみを用いた発呼処理を行うことが可能となる。
（ｇ）上部筐体及び下部筐体がスライド自在に連結され、ユーザのスライド操作により開形態及び閉形態の２つの形態を取り得る携帯電話機であって、電源オン操作を受け付ける受付部と、上部筐体の閉形態で露出する面に備えられた、タッチパネルである第１入力部と、下部筐体の開形態では露出するが閉形態では露出しない面に備えられた第２入力部と、音声入力部と、電源オン操作を受け付けたときに形態を検出する検出部と、検出された形態が開形態である場合に、前記音声入力部が受け付けた電話番号に発呼する制御部とを備えることを特徴とする。
【００６９】
この構成によると、タッチパネルを介した入力操作が不可能な場合であっても、音声入力部を用いた発呼処理を行うことが可能となる。
【産業上の利用可能性】
【００７０】
本発明は、タッチパネルにより操作入力を受け付ける携帯電話機を製造及び販売する産業において、タッチパネルが破損し、タッチパネルを介した入力操作が不可能な場合であっても、電話機能を使用することができる技術として利用可能である。
【符号の説明】
【００７１】
１      携帯電話機
１０１  タッチパネル
１０２  第１コントローラ
１０３  キーボード
１０４  第２コントローラ
１０５  磁石
１０６  磁気センサ
１０７  記憶部
１０８  制御部
１０９  通信制御部
１１０  アンテナ
１１１  レシーバ
１１２  マイク
１１３  電源ボタン
１８１  形状検出部
１８２  モード切替部
１８３  ロック部１８４
１８４  入力切替部
１８５  電話プログラム実行部１８５
【図１】
2013247630.tif 000003
【図２】
2013247630.tif 000004
【図３】
2013247630.tif 000005
【図４】
2013247630.tif 000006
【図５】
2013247630.tif 000007
【図６】
2013247630.tif 000008
【図７】
2013247630.tif 000009
【図８】
2013247630.tif 000010
【図９】
2013247630.tif 000011